(57)【要約】【課題】  浴槽と壁面部との間隔の大きさに左右されず、安定して目地材を取り付けることができる浴槽の目地構造を提供すること。【解決手段】  壁面部１１等と浴槽１４の上端縁部との隙間に設けられる浴槽の目地構造２０を、固定部２６と支持部２７を備えた複数の目地材受け部２２と、挿入部２４と閉塞部２５とを備えた目地材２１とで構成した。そして、固定部２６を壁面部１１等に固定して、支持部２７と壁面部１１等との間に、挿入部２４を挿入することにより、壁面部１１等と浴槽１４の上端縁部との間を閉塞部２５で閉塞した。また、挿入部２４に３個の凹部２４ａを設け、支持部２７に任意の凹部２４ａと係合可能な凸部２７ａを設けた。【選択図】  図２
2005168618.tif 000002
【特許請求の範囲】
【請求項１】
壁面部と浴槽の上端縁部との隙間に設けられる浴槽の目地構造であって、前記壁面部に下部側部分が固定され、上部側部分と前記壁面部との間に所定の間隔が設けられた目地材受け部と、挿入部と閉塞部とで構成され、前記挿入部が前記目地材受け部の上部側部分と前記壁面部との間に挿入されて取り付けられ、前記閉塞部が前記壁面部と前記浴槽の上端縁部との間の隙間を閉塞する目地材とを備えたことを特徴とする浴槽の目地構造。
【請求項２】
前記目地材の閉塞部を前記浴槽側に突出させ、その突出部分の下面を前記浴槽の上面に密接させた請求項１に記載の浴槽の目地構造。
【請求項３】
前記目地材受け部と前記目地材とに、互いに係合可能な係合部をそれぞれ設けた請求項１または２に記載の浴槽の目地構造。
【請求項４】
前記目地材受け部と前記目地材との係合部のうちの少なくとも一方の係合部を上下方向に並んだ複数の凹凸部で構成して、任意の凹部または凸部を他方の係合部に係合させることにより、前記目地材の取り付け高さを調整できるようにした請求項１ないし３のうちのいずれか一つに記載の浴槽の目地構造。
【請求項５】
前記目地材受け部を、略水平方向に所定間隔で設けられた複数個で構成した請求項１ないし４のうちのいずれか一つに記載の浴槽の目地構造。
【発明の詳細な説明】
【技術分野】
【０００１】
本発明は、浴槽の上端縁部と壁面部との間の隙間に形成される浴槽の目地構造に関する。
【背景技術】
【０００２】
従来から、浴室内に設置される浴槽と浴室の壁面部との間に生じる隙間には、目地材が設けられて隙間から内部に水が浸入しないようにしており、施工が容易で、後の点検や修理時等に取り外しができることから乾式の目地材が用いられることがある。（例えば、特許文献１）。この目地材は、浴槽端縁部の側部と壁面部との間に挿入される脚片部と、浴槽端縁部の側部上端と壁面部との間をシールする覆い片部とを備えている。そして、脚片部には、斜め上方に向かって延びる３個のひれ片が、上下に一定間隔を保って設けられている。このため、脚片部は、浴槽端縁部の側部と壁面部との間に挿入し易く、かつ、ひれ片の作用によって抜け難くなっている。また、浴槽端縁部の側部上端と壁面部との間は、覆い片部によってシールされる。
【特許文献１】特開２００３−１９００３６号公報
【発明の開示】
【０００３】
しかしながら、前述した従来の目地材は、各部材の寸法や施工上のばらつき、或いは長年の使用による各部材のずれ等により浴槽端縁部の側部と壁面部との隙間が大きくなってしまった場合には外れやすくなり、目地材の取り付け状態が隙間の大きさに左右されてしまうという問題がある。
本発明は、前述した問題に対処するためになされたもので、その目的は、浴槽と壁面部との間隔の大きさに左右されず、安定して目地材を取り付けることができる浴槽の目地構造を提供することである。
【０００４】
前述した目的を達成するため、本発明にかかる浴槽の目地構造の構成上の特徴は、壁面部と浴槽の上端縁部との隙間に設けられる浴槽の目地構造であって、壁面部に下部側部分が固定され、上部側部分と壁面部との間に所定の間隔が設けられた目地材受け部と、挿入部と閉塞部とで構成され、挿入部が目地材受け部の上部側部分と壁面部との間に挿入されて取り付けられ、閉塞部が壁面部と浴槽の上端縁部との間の隙間を閉塞する目地材とを備えたことにある。
【０００５】
このように構成した本発明の浴槽の目地構造では、目地材の挿入部は、壁面部と浴槽とで挟まれることによって取り付けられるのではなく、目地材受け部を介して壁面部に取り付けられる。したがって、壁面部と浴槽との隙間の大きさに左右されずに、目地材を安定した状態で取り付けることができる。また、壁面部と浴槽の上端縁部との隙間は、閉塞部によってシールされる。この場合、目地材受け部は硬質材料で構成し、目地材は軟質材料で構成することが好ましい。これによって、目地材の取り付けが容易になる。
【０００６】
本発明にかかる浴槽の目地構造の他の構成上の特徴は、目地材の閉塞部を浴槽側に突出させ、その突出部分の下面を浴槽の上面に密接させたことにある。これによると、壁面部と浴槽の上端縁部との間の隙間が大きくなるように変化しても、浴槽の上面は、目地材の閉塞部下面に沿って移動するだけであるため、目地材の閉塞部下面と浴槽の上面との密接状態は維持される。このため、隙間の大きさの変化に拘わらず良好な閉塞状態を維持することができる。
【０００７】
本発明にかかる浴槽の目地構造のさらに他の構成上の特徴は、目地材受け部と目地材とに、互いに係合可能な係合部をそれぞれ設けたことにある。これによると、目地材をより確実に目地材受け部に固定することができる。また、この場合、目地材受け部と目地材との係合部のうちの少なくとも一方の係合部を上下方向に並んだ複数の凹凸部で構成して、任意の凹部または凸部を他方の係合部に係合させることにより、目地材の取り付け高さを調整できるようにすることもできる。これによると、浴槽の高さ方向のばらつきにも対応することができるとともに、目地材受け部の壁面部への取り付け位置が設定位置よりも多少上下方向にずれていても目地材の目地材受け部への取り付け位置を調節することにより目地材を適正な位置に取り付けることができる。このため、目地材受け部の壁面部への取り付けが容易になる。
【０００８】
また、本発明にかかる浴槽の目地構造のさらに他の構成上の特徴は、目地材受け部を、略水平方向に所定間隔で設けられた複数個で構成したことにある。これによると、目地材受け部は、壁面部と浴槽との隙間における周囲全体に設けることなく、必要な数ヶ所だけに設けることができ、目地材受け部の製造が容易になるとともにコストが低下し、取り付け作業も容易になる。
【発明を実施するための最良の形態】
【０００９】
以下、本発明の一実施形態を図面を用いて説明する。図１は本発明に係る浴槽の目地構造２０を備えた浴室１０を示している。この浴室１０では、浴室１０内と屋外とを仕切る壁面部１１に窓１２が設けられており、床面１３における窓１２側に浴槽１４が設けられている。この浴槽１４は、左右（図１では前後）の側面を、それぞれ対応する壁面部（図３参照）１１ａと壁面部１１ｂとに沿わせて設置されている。この壁面部１１，１１ａ，１１ｂで、本発明に係る壁面部が構成される。また、壁面部１１の対向面には、出入り用のドア（図示せず）が設けられた壁面部１５が設置され、各壁面部１１等の上端部には、天井部１６が設置されている。
【００１０】
また、浴槽１４の前方における壁面部１１ｂに沿った部分にカウンター１７が設けられ、カウンター１７の上方における壁面に鏡１８や収容棚１９等が設けられている。そして、浴槽１４の上面部１４ａの縁部と、壁面部１１，１１ａ，１１ｂとに生じる隙間に浴槽の目地構造２０を構成する目地材２１が取り付けられている（壁面部１１ａ側の目地材２１は図示していない。）。浴槽の目地構造２０は、図２に示したように、壁面部（図２では壁面部１１を示している。）１１等と浴槽１４の上面部１４ａとの間をシールする目地材２１と、目地材２１が係合して取り付けられる目地材受け部２２と、目地材受け部２２を壁面部１１等に固定するねじ２３とで構成されている。
【００１１】
目地材２１は、水平方向に延びる長尺の部材で構成され、下部側に挿入部２４が形成され、この挿入部２４の上端部に前部側部分が前方に向かって突出した閉塞部２５が形成されている。挿入部２４の断面形状は、縦長の略四角形に形成され、閉塞部２５の断面形状は、横長の四角形の前端上部を丸い曲部にした形状に形成されている。また、挿入部２４の前面における下部側部分には、水平方向に延びる略Ｖ形溝状の凹部２４ａが上下に３個並んで形成されている。各凹部２４ａは、それぞれ水平面に形成された下面と、傾斜面に形成された上面とで構成され断面形状が略Ｖ形に形成されている。この目地材２１は、軟質ゴムで構成されており、その成形は、目地材２１の断面形状と同一形状の押出し口を備えた金型（図示せず）を用いて行われる。
【００１２】
目地材受け部２２は、壁面部１１，１１ａ，１１ｂに固定される固定部２６と、壁面部１１等から目地材２１の挿入部２４を圧入状態で挿入できる間隔を保つように形成された支持部２７と、固定部２６の上端部と支持部２７の下端部とを接続する接続部２８とで構成されている。そして、固定部２６の中央部には、ねじ穴２６ａが形成され、支持部２７の裏面におけるやや上部側には、各凹部２４ａに係合可能な凸部２７ａが形成されている。凸部２７ａは、下面が水平面に形成され、上面が傾斜面に形成されて、各凹部２４ａに密着状態で係合できるようになっている。また、この目地材受け部２２は、硬質の樹脂材料を成形した複数個のもので構成されている。
【００１３】
目地材受け部２２は、壁面部１１等における浴槽１４の上面部１４ａの縁部に対応する位置よりもやや低い位置に、図３に示したように、一定間隔を保ってねじ２３によって固定される。そして、壁面部１１等と浴槽１４の上面部１４ａとの間に目地材２１の挿入部２４を差し込んで、その所定の凹部２４ａを目地材受け部２２の凸部２７ａに係合させることにより、図２に示した浴槽の目地構造２０が形成される。この場合、閉塞部２５の裏面が壁面部１１等に密接するとともに、閉塞部２５の下面が浴槽１４の上面部１４ａに密接して、壁面部１１等と浴槽１４の上面部１４ａとの隙間をシールする。
【００１４】
また、この際、凹部２４ａの上面と凸部２７ａの上面が傾斜面に形成されているため、目地材２１の挿入部２４を隙間に差し込みやすく、凹部２４ａと凸部２７ａとが係合すると、それぞれ水平面に形成された凹部２４ａの下面と凸部２７ａの下面との係合によって目地材２１が抜け難くなる。さらに、凸部２７ａは、３個の凹部２４ａの中のどの凹部２４ａとも係合が可能であるため、適宜係合させる凹部２４ａを変更することによって、浴槽１４の上面部１４ａに閉塞部２５の下面がしっかりと密接するように目地材２１の取り付け高さを調整することができる。
【００１５】
この構成において、浴室１０に設置された浴槽１４と、壁面部１１，１１ａ，１１ｂとにそれぞれ生じる隙間に浴槽の目地構造２０を設ける際には、予め、図３に示すように、壁面部１１等の所定部分に、目地材受け部２２を取り付けておく。この目地材受け部２２の取り付けは、目地材受け部２２を取り付け位置に位置決めし、固定部２６のねじ穴２６ａにねじ２３を通し、壁面部１１等に螺合させることにより行う。また、この場合の各目地材受け部２２間の間隔は、目地材２１を弛ませることなく取り付けるために必要な長さに設定しておく。そして、浴室１０内に浴槽１４やカウンター１７等を設置する
【００１６】
つぎに、壁面部１１等と浴槽１４との隙間における目地材２１を取り付ける部分の長さを測るとともに、目地材２１をその測定値の長さに切断する。そして、隙間の一方の端部側から順次目地材２１の挿入部２４を隙間に差し込んでいくことにより目地材２１の取り付けを行う。この場合、各壁面部１１等に対応する目地材２１がそれぞれ直線状になるようにする。この場合、各部材の寸法のばらつきや施工上のばらつき等によって壁面部１１等と浴槽１４の上面部１４ａとの隙間の大きさにばらつきが生じたとしても、目地材２１を安定した状態で取り付けることができ、また、その隙間は、目地材２１の閉塞部２５によって確実にシールされる。
【００１７】
また、長期間の経過により、壁面部１１等と浴槽１４の上面部１４ａとの間の隙間の大きさに変化が生じても、目地材２１は、目地材受け部２２を介して壁面部１１等に取り付けられているため不用意に抜けてしまうようなことがなく、閉塞部２５による壁面部１１等と浴槽１４の上面部１４ａとの間のシールは維持される。なお、浴槽１４の修理等のために目地材２１を取り外す必要がある場合には、挿入部２４の凹部２４ａが変形する程度に強く引き抜くことにより目地材２１を取り外すことができる。
【００１８】
このように、本実施形態にかかる浴槽の目地構造２０によれば、壁面部１１等と浴槽１４との隙間の大きさや、その隙間の大きさの変化に関係なく、良好なシールができ、またその状態を長期間に亘って維持できる。また、閉塞部２５の下面を浴槽１４の上面部１４ａに密着させてシールを行うため、浴槽１４が位置ずれしても閉塞部２５によるシールが確実にできる。
【００１９】
さらに、目地材受け部２２を硬質の樹脂材料で構成するとともに、目地材２１を軟質ゴムで構成し、凸部２７ａに凹部２４ａを係合させることにより、目地材２１を取り付けるため、目地材２１の取り付けが容易になる。また、一旦、係合した目地材２１は、壁面部１１等と目地材受け部２２との間から外れ難くなる。また、凹部２４ａが複数個設けられているため、目地材２１の高さ調節が可能になる。これによって、浴槽１４の高さ寸法や各目地材受け部２２の取り付け位置に多少のずれがあっても目地材２１を適正な状態で取り付けることができる。
【００２０】
また、本発明による浴槽の目地構造は、前述した実施形態に限定するものでなく、本発明の技術的範囲内で適宜変更実施が可能である。例えば、前述した実施形態では、目地材受け部２２を、複数個の短いもので構成しているが、この目地材受け部は、目地材２１と同じ長さに設定して全域に亘って目地材２１と目地材受け部２２を係合させることもできる。
【００２１】
また、前述した実施形態では、凹部２４ａを３個設け、凸部２７ａを１個設けているが、凹部２４ａと凸部２７ａの双方を１個で構成してもよいし、双方を複数個にしてもよい。また、その複数の数も３個に限らず２個でも４個以上でもよい。さらに、目地材２１は軟質ゴムに限らず、エラストマーなど伸縮可能で弾性を有する材料を用いてもよい。また、目地受け部２２も硬質の樹脂材料に限らず他の材料で構成してもよい。その他、浴槽の目地構造を構成する各部分の形状等も適宜変更することができる。
【図面の簡単な説明】
【００２２】
【図１】本発明の一実施形態に係る浴槽の目地構造を備えた浴室を示す斜視図である。
【図２】浴槽の目地構造を示す断面図である。
【図３】壁面部に目地材受け部を取り付けた状態を示す斜視図である。
【符号の説明】
【００２３】
１０…浴室、１１，１１ａ，１１ｂ…壁面部、１４…浴槽、１４ａ…上面部、２０…浴槽の目地構造、２１…目地材、２２…目地材受け部、２４…挿入部、２４ａ…凹部、２５…閉塞部、２６…固定部、２７…支持部、２７ａ…凸部。
【図１】
2005168618.tif 000003
【図２】
2005168618.tif 000004
【図３】
2005168618.tif 000005